(57)【特許請求の範囲】
【請求項１】
プレボーリング後または直接貫入して所定の位置に到達した後引張力を掛け、羽根（１）を開き地中に係止させる回転羽根付アースアンカーにおいて、羽根（１）が回転できるように、羽根（１）を、軸管（３）内に軸管（３）と直交する回転軸（４）で軸管（３）と接合し、軸管（３）の、羽根（１）が回転する側を、羽根（１）の厚みと同じ巾で、羽根（１）が概略９０度回転した時点で羽根（１）の回転を止めるように、羽根止部を残した長さで切除し、軸管（３）の回転軸から先端までの長さも前記先端部羽根止部の所定の長さを持った長さとし、また、羽根（１）の回転軸（４）からの長さをアースアンカー先端側、その反対側をそれぞれａ、ｂとすると、ａ＜ｂとし、羽根（１）の回転方向側の面とそれと交差する面の角度は概略４５度または概略１３５度とし、軸管（３）の先端部と反対側に、鋼線（５）と連結した連結金物（６）を取り付け、アースアンカー（２）を所定の位置まで貫入すべく連結金物（６）を、鋼線（５）も含めて被して接合される外径軸管（７）の内部側に取り付けられた下向きの爪（８）を差し込めるようにその上面に爪孔（９）を設け、アースアンカー（２）を所定の位置に到達した時点で、外径軸管（７）を引いて前記爪（８）をはずし、外径軸管（７）を９０度回転して下げ戻しても爪（８）が連結金物（６）に当たらないようにその形状を平面視Ｉ型とし、外径軸管（７）を押し込んで羽根（１）を開くと共に、鋼線（３）に引張力を掛け、羽根（１）を前記羽根止部に当たるまで概略９０度回転させ、その後外径軸管（７）を抜き取り、鋼線（５）と地上の構造物等と連結することによって、構造物等と地盤を結合し、使用後は、外径軸管（７）を、鋼線（５）を内にいれて貫入して爪（８）をアースアンカー（２）の爪孔（９）に差込み、圧入して羽根（１）を回転、軸管（３）内に長さaの羽根の先端部以外を収納し、鋼線（５）に引張力を掛けて抜き取り、再使用もできることを特徴とする回転羽根付アースアンカー。
【請求項２】
前記回転羽根付アースアンカー（２）の先端に、その平面視断面がＩ字型をしたＩ字錐（１０）でねじ切り加工（１１）をした先端部（１２）を取り付け、前記回転羽根付アースアンカー（２）を回転しながら地中等に貫入していくことを特徴とする請求項１記載の回転羽根付アースアンカー。
【請求項３】
請求項１または２記載の回転羽根付アースアンカー（２）を用いて、プレボーリング後または直接貫入して所定の位置に到達した後引張力を掛け、羽根（１）を開き地中に係止させる回転羽根付アースアンカーの工法において、前記回転羽根付アースアンカー（２）を所定の位置まで貫入すべく連結金物（６）を、鋼線（５）も含めて外径軸管（７）で被し、外径軸管（７）の内部側に取り付けられた下向きの爪（８）を、前記連結金物（６）の上面にあけられた爪孔（９）に差し込んで、回転羽根付アースアンカー（２）と外径軸管（７）を接合し、回転羽根付アースアンカー（２）の貫入時、外径軸管（７）の先端を、前記羽根（１）の長さｂ側の先端に接し、回転羽根付アースアンカー（２）が所定の位置に到達した時点で、外径軸管（７）を引いて前記爪（８）をはずし、外径軸管（７）を下げ戻しても爪（８）が連結金物（６）に当たらないように、連結金物（６）を軸にして９０度回転、押し込んで羽根（１）を開くと共に、鋼線（５）に引張力を掛け、羽根（１）を羽根止部に当たるまで概略９０度回転させ、その後外径軸管（７）を抜き取り、鋼線（５）と地上の構造物等と連結することによって構造物等と地盤を結合し、使用後は、外径軸管（７）を、鋼線（５）を内にいれて貫入して爪（８）を回転羽根付アースアンカー（２）の爪孔（９）に差込み、圧入して羽根（１）を回転、軸管（３）内に長さaの羽根の先端部以外を収納し、鋼線（５）に引張力を掛けて回転羽根付アースアンカー（２）を抜き取り、再使用することもできることを特徴とする回転羽根付アースアンカーの工法。
【発明の詳細な説明】
【技術分野】
【０００１】
本発明は、地盤上に構造物等と地盤を結合させるための回転羽根付アースアンカーとその工法に関するものである。
【背景技術】
【０００２】
地中に貫入して所定の位置に達した後、引張力等を掛け羽根を開きアースアンカーとする技術を提案した。（特許文献１）  
【特許文献１】特開２００６−２８７０８１
【発明の開示】
【発明が解決しようとする課題】
【０００３】
特許文献１では、羽根（２４）はＹ字柱（２３）に片持梁的についており、羽根（２４）とピンボルト（２５）に相当の力が働く。もし、アースアンカーの羽が開いた時、回転軸を中心にして左右または上下に概略同じ長さで一体につくることができれば、左右または上下の羽根に働く力が相殺し合って、アースアンカーにより大きな力の負担をさせることが可能である。
【０００４】
特許文献１では、アースアンカーの先端部を、プレボーリングなしでも貫入できるよう、ねじ切り加工しているのでコストはその分高くつく。
【課題を解決するための手段】
【０００５】
プレボーリング後または直接貫入して所定の位置に到達した後引張力を掛け、羽根（１）を開き地中に係止させる回転羽根付アースアンカーにおいて、羽根（１）が回転できるように、羽根（１）を、軸管（３）内に軸管（３）と直交する回転軸（４）で軸管（３）と接合し、軸管（３）の、羽根（１）が回転する側を、羽根（１）の厚みと同じ巾で、羽根（１）が概略９０度回転した時点で羽根（１）の回転を止めるように、羽根止部を残した長さで切除し、軸管（３）の回転軸から先端までの長さも前記先端部羽根止部の所定の長さを持った長さとし、また、羽根（１）の回転軸（４）からの長さをアースアンカー先端側、その反対側をそれぞれａ、ｂとすると、ａ＜ｂとし、羽根（１）の回転方向側の面とそれと交差する面の角度は概略４５度または概略１３５度とし、軸管（３）の先端部と反対側に、鋼線（５）と連結した連結金物（６）を取り付け、アースアンカー（２）を所定の位置まで貫入すべく連結金物（６）を、鋼線（５）も含めて被して接合される外径軸管（７）の内部側に取り付けられた下向きの爪（８）を差し込めるようにその上面に爪孔（９）を設け、アースアンカー（２）を所定の位置に到達した時点で、外径軸管（７）を引いて前記爪（８）をはずし、外径軸管（７）を９０度回転して下げ戻しても爪（８）が連結金物（６）に当たらないようにその形状を平面視Ｉ型とし、外径軸管（７）を押し込んで羽根（１）を開くと共に、鋼線（３）に引張力を掛け、羽根（１）を前記羽根止部に当たるまで概略９０度回転させ、その後外径軸管（７）を抜き取り、鋼線（５）と地上の構造物等と連結することによって、構造物等と地盤を結合し、使用後は、外径軸管（７）を、鋼線（５）を内にいれて貫入して爪（８）をアースアンカー（２）の爪孔（９）に差込み、圧入して羽根（１）を回転、軸管（３）内に長さaの羽根の先端部以外を収納し、鋼線（５）に引張力を掛けて抜き取り、再使用することもできる。以上を特徴とする回転羽根付アースアンカーである。
【０００６】
前記回転羽根付アースアンカー（２）の先端に、その平面視断面がＩ字型をしたＩ字錐（１０）でねじ切り加工（１１）をした先端部（１２）を取り付け、前記回転羽根付アースアンカー（２）を回転しながら地中等に貫入していくことを特徴とする請求項１記載の回転羽根付アースアンカーである。
【０００７】
請求項１または２記載の回転羽根付アースアンカー（２）を用いて、プレボーリング後または直接貫入して所定の位置に到達した後引張力を掛け、羽根（１）を開き地中に係止させる回転羽根付アースアンカーの工法において、前記回転羽根付アースアンカー（２）を所定の位置まで貫入すべく連結金物（６）を、鋼線（５）も含めて外径軸管（７）で被し、外径軸管（７）の内部側に取り付けられた下向きの爪（８）を、前記連結金物（６）の上面にあけられた爪孔（９）に差し込んで、回転羽根付アースアンカー（２）と外径軸管（７）を接合し、回転羽根付アースアンカー（２）の貫入時、外径軸管（７）の先端を、前記羽根（１）の長さｂ側の先端に接し、回転羽根付アースアンカー（２）が所定の位置に到達した時点で、外径軸管（７）を引いて前記爪（８）をはずし、外径軸管（７）を下げ戻しても爪（８）が連結金物（６）に当たらないように、連結金物（６）を軸にして９０度回転、押し込んで羽根（１）を開くと共に、鋼線（５）に引張力を掛け、羽根（１）を羽根止部に当たるまで概略９０度回転させ、その後外径軸管（７）を抜き取り、鋼線（５）と地上の構造物等と連結することによって、構造物等と地盤を結合する。使用後は、外径軸管（７）を、鋼線（５）を内にいれて貫入して爪（８）を回転羽根付アースアンカー（２）の爪孔（９）に差込み、圧入して羽根（１）を回転、軸管（３）内に長さaの羽根の先端部以外を収納し、鋼線（５）に引張力を掛けて回転羽根付アースアンカー（２）を抜き取り、再使用することもできる。以上を特徴とする回転羽根付アースアンカーの工法である。
【発明の効果】
【０００８】
本発明のアースアンカーは、その貫入においては、地質調査用の小型軽量ボーリングマシーン（道路の無い山野などの傾斜地にも搬入可）で良く、引張力をかけるにおいては、例えば、大地が反力になるように、３角錐状単位架構を組み（下弦材は無くとも良い）、チェンブロックなどで引張力をかけることができる。グラウト材の注入も必要が無い。従って自然環境を痛めることは無い。
【０００９】
小規模なアースアンカーとして使用する時は、プレボーリングなしで、外径軸管上部をハンマーなどで打撃するだけでアースアンカーを所定の位置に貫入させることができる。
【００１０】
羽根（１）が９０度回転した後、鋼線（５）に引張力がかかると、羽根（１）のｂまたはａの長さの羽根によってかかる力のモーメントの差が軸管（３）の羽根止部に負荷される。羽根の耐力をそれ以上にすることは容易である。従って、本発明のアースアンカーは、文献１のアースアンカーよりも、同程度の大きさにおいて、大きな耐力を保有することが可能である。また、コストも安くつき、再使用も出来る。
【発明を実施するための最良の形態】
【００１１】
以下、発明を図示する実施形態に基づいて説明する。図１の（１）〜（３）は、本発明アースアンカーの断面図、図２の（１）は図１の（３）の正面図、図２の（２）、（３）は図２（１）の側面図である。図３の（１）、（２）、（３）はそれぞれ図１のＡ−Ａ断面図、Ｂ−Ｂ断面図、Ｃ−Ｃ断面図である。図４の（１）、（２）、（３）はそれぞれ図１のＤ−Ｄ断面図、Ｅ−Ｅ断面図、Ｆ−Ｆ断面図である。図５の（１）〜（３）は、羽根１の回転方向側の面とそれと交差する面の角度を概略１３５度にした場合のアースアンカー（２）の断面図である。プレボーリング後または直接貫入して所定の位置に到達した後引張力を掛け、羽根（１）を開き地中に係止させる回転羽根付アースアンカーにおいて、羽根（１）が回転できるように、羽根（１）を、軸管（３）内に軸管（３）と直交する回転軸（４）で軸管（３）と接合し、軸管（３）の、羽根（１）が回転する側を、羽根（１）の厚みと同じ巾で、羽根（１）が概略９０度回転した時点で羽根（１）の回転を止めるように、羽根止部を残した長さで切除し、軸管（３）の回転軸から先端までの長さも前記先端部羽根止部の所定の長さを持った長さとし、また、羽根（１）の回転軸（４）からの長さをアースアンカー先端側、その反対側をそれぞれａ、ｂとすると、ａ＜ｂとし、羽根（１）の回転方向側の面とそれと交差する面の角度は概略４５度または概略１３５度とし、軸管（３）の先端部と反対側に、鋼線（５）と連結した連結金物（６）を取り付け、アースアンカー（２）を所定の位置まで貫入すべく連結金物（６）を、鋼線（５）も含めて被して接合される外径軸管（７）の内部側に取り付けられた下向きの爪（８）を差し込めるようにその上面に爪孔（９）を設け、アースアンカー（２）を所定の位置に到達した時点で、外径軸管（７）を引いて前記爪（８）をはずし、外径軸管（７）を９０度回転して下げ戻しても爪（８）が連結金物（６）に当たらないようにその形状を平面視Ｉｍ型とし、外径軸管（７）を押し込んで羽根（１）を開くと共に、鋼線（３）に引張力を掛け、羽根（１）を前記羽根止部に当たるまで概略９０度回転させ、その後外径軸管（７）を抜き取り、鋼線（５）と地上の構造物等と連結することによって、構造物等と地盤を結合し、使用後は、外径軸管（７）を、鋼線（５）を内にいれて貫入して爪（８）をアースアンカー（２）の爪孔（９）に差込み、圧入して羽根（１）を回転、軸管（３）内に長さaの羽根の先端部以外を収納し、鋼線（５）に引張力を掛けて抜き取り、再使用することもできる。以上を特徴とする回転羽根付アースアンカーである。
【００１２】
図６の（１）、（２）、（３）はそれぞれアースアンカー（２）の正面図、側面図、（２）のＧ−Ｇ断面図である。前記回転羽根付アースアンカー（２）の先端に、その平面視断面がＩ字型をしたＩ字錐（１０）でねじ切り加工（１１）をした先端部（１２）を取り付け、前記回転羽根付アースアンカー（２）を回転しながら地中等に貫入していくことを特徴とする。
【００１３】
請求項１または２記載の回転羽根付アースアンカー（２）を用いて、プレボーリング後または直接貫入して所定の位置に到達した後引張力を掛け、羽根（１）を開き地中に係止させる回転羽根付アースアンカーの工法において、前記回転羽根付アースアンカー（２）を所定の位置まで貫入すべく連結金物（６）を、鋼線（５）も含めて外径軸管（７）で被し、外径軸管（７）の内部側に取り付けられた下向きの爪（８）を、前記連結金物（６）の上面にあけられた爪孔（９）に差し込んで、回転羽根付アースアンカー（２）と外径軸管（７）を接合し、回転羽根付アースアンカー（２）の貫入時、外径軸管（７）の先端を、前記羽根（１）の長さｂ側の先端に接し、回転羽根付アースアンカー（２）が所定の位置に到達した時点で、外径軸管（７）を引いて前記爪（８）をはずし、外径軸管（７）を下げ戻しても爪（８）が連結金物（６）に当たらないように、連結金物（６）を軸にして９０度回転、押し込んで羽根（１）を開くと共に、鋼線（５）に引張力を掛け、羽根（１）を羽根止部に当たるまで概略９０度回転させ、その後外径軸管（７）を抜き取り、鋼線（５）と地上の構造物等と連結することによって、構造物等と地盤を結合する。使用後は、外径軸管（７）を、鋼線（５）を内にいれて貫入して爪（８）を回転羽根付アースアンカー（２）の爪孔（９）に差込み、圧入して羽根（１）を回転、軸管（３）内に長さaの羽根の先端部以外を収納し、鋼線（５）に引張力を掛けて回転羽根付アースアンカー（２）を抜き取り、再使用することもできる。以上を特徴とする回転羽根付アースアンカーの工法である。
【図面の簡単な説明】
【００１４】
【図１】（１）〜（３）は、回転羽根付アースアンカーの断面図。
【図２】（１）は、図１（３）の正面図。（２）は、図２（１）の側面図。（３）は、図２（１）の側面図。
【図３】（１）は、図１（１）のＡ−Ａ断面図。（２）は、図１（１）のＢ−Ｂ断面図。（３）は、図１（１）のＣ−Ｃ断面図。
【図４】（１）は、図１（２）のＤ−Ｄ断面図。（２）は、図１（３）のＥ−Ｅ断面図。（３）は、図１（３）のＦ−Ｆ断面図。
【図５】（１）〜（３）は、回転羽根付アースアンカーの断面図。
【図６】（１）は、別な回転羽根付アースアンカーの正面図。（２）は、別な回転羽根付アースアンカーの側面図。（３）は、（２）のＧ−Ｇ断面図。
【符号の説明】
【００１５】
１  羽根
２  回転羽根付アースアンカー
３  軸管
４  回転軸
５  鋼線
６  連結金物
７  外径軸管
８  爪
９  爪孔
１０  Ｉ字錐
１１  ねじ切り加工
１２  先端部
１３  ナット
１４  座金
【要約】      （修正有）【課題】プレボーリングすること無しに、低廉で、大きな耐力を有することができるアースアンカーを提供する。【解決手段】羽根１は、回転できるように軸管３の中に格納し、羽根と軸管は直交する回転軸４で接合する。軸管の幅は、羽根の厚みと同じで、先端部に羽根が概略９０度回転した時羽根の回転を止める止め部を有する。外径軸管７には、鋼線５と連結した連結金物６が被せられる。外径軸管の内部側の爪８を、連結金物の上面の爪孔９に差し込んで、アースアンカー２と外径軸管を接合する。アースアンカーの貫入時、外径軸管の先端は、羽根の連結金物側の先端と接し、アースアンカーが所定の位置に達した時点で、外径軸管を引いて爪をはずし連結金物を軸にし９０度回転し、押し込んで羽根を開くと共に鋼線に引張力を掛け、羽根を概略９０度回転させ、その後外径軸管を抜き取る。【選択図】図１【図１】
0004206442.tif 000002
【図２】
0004206442.tif 000003
【図３】
0004206442.tif 000004
【図４】
0004206442.tif 000005
【図５】
0004206442.tif 000006
【図６】
0004206442.tif 000007